(57)【要約】      （修正有）【課題】双方向ドアクローザーを有する双方向ドアを提供する。【解決手段】双方向ドアクローザー７を有する双方向ドアは、二枠２、３一扉５の３つが１つに合わさった構造を含み、実質上一枠二扉の独立ドア構造を形成し、精巧な開放方向をもたらし、双方向ドアのドア中ドア構造を利用し、大ドアと同時に小ドアを含む２つの単一方向に開放する扉機能をそれぞれ管理し、ドア枠が任意に双方向に開閉され、柔軟性を有して任意の方向にドアを押して避難し、ドアを閉鎖して防火する機能を達成することができる。【選択図】図９
0003197118.tif 000002
【実用新案登録請求の範囲】
【請求項１】
内側に大枠内縁を形成し、大枠内縁上側に位置する第１横柱を含む大枠と、
内側に中枠内縁を形成し、中枠内縁上側に位置する第２横柱を含む中枠と、
一側が該大枠に接続され、他側が中枠に接続され、第１方向にのみ回転するように取り付けられ、これにより、該中枠が該大枠内縁に相対して第１方向へ往復回転して開閉される第１ヒンジと、
扉と、
一側が前記中枠に接続され、他側が該扉に接続され、ただ第２方向にのみ回転するように取り付けられ、これにより、該扉が該中枠内縁に相対して第２方向へ往復回転して開閉される第２ヒンジと、
第２横柱、第１滑動アーム、第２滑動アームに結合する本体と、該第１滑動アームは、第１前端と、該第１前端に設けられる第１ストッパと、第１横柱に移動可能に結合される第１後端と、を含み、該第２滑動アームは、第２前端、該第２前端に設けられる第２ストッパと、該扉に移動可能に結合される第２後端と、を含む双方向ドアクローザーと、を含み、
該本体は、更に、本体内側に回転可能に結合する軸輪と、該本体内部に中空空間に定義される軌道空間と、弾性部材と、滑動ブロックと、を含み、該滑動ブロックは、ギアレールを含み該弾性部材及び滑動ブロックは、互いに当接して該軌道空間内に設けられ、同時に該滑動ブロックのギアレールは、該軸輪に移動可能に噛み合い、該軸輪は、上端及び下端を含み、該上端は、本体一側に凸伸し、該下端は、本体他側に凸伸し、
前記双方向ドアクローザーは、更に、第１カム、第２カムを含み、該第１カムは、軸輪の上端に結合され、該第２カムは、軸輪の下端に結合され、
該第１滑動アームの第１前端は、上端に回転可能に結合され、該第１カムに隣接し、該第１カム及び該第１ストッパは、平行であり且つ接触噛み合い又は分離することができ、
該第２滑動アームの第２前端は、下端に滑動可能に結合され、該第２カムに隣接し、該第２カム及び該第２ストッパは、平行であり且つ接触噛み合い又は分離することができる双方向ドアドアクローザーを有する双方向ドア。
【請求項２】
前記滑動ブロックは、更に中空溝を含み、前記ギアレールは、該中空溝の一側に形成され、該軸輪は、本体内側に回転可能に結合されると同時に、該滑動ブロックの中空溝に貫通設置され、該軸輪により該ギアレールに噛み合う請求項１に記載の双方向ドアドアクローザーを有する双方向ドア。
【請求項３】
前記第１横柱は、第１滑動溝を含み、該第１滑動アームの第１後端は、第１滑動溝に滑動可能に結合され、
該扉は、更に、該扉上側に位置する第２滑動溝を含み、該第２滑動アームの第２後端は、該第２滑動溝に滑動可能に結合される請求項１に記載の双方向ドアドアクローザーを有する双方向ドア。
【請求項４】
前記第１カムは、更に、第１軸孔を含み、該第１軸孔は、軸輪の上端に結合され、該第２カムは、更に、第２軸孔を含み、該第２軸孔は、軸輪の第１前端に結合される請求項１に記載の双方向ドアドアクローザーを有する双方向ドア。
【請求項５】
前記第１ヒンジ又は第２ヒンジは、速度調節又は緩衝のヒンジである請求項１に記載の双方向ドアドアクローザーを有する双方向ドア。
【請求項６】
前記中枠は、更に、ストッパを含み、該ストッパは、中枠内縁を覆う一部分に結合し、該扉の該ストッパに対応する部分が該ストッパに係止し、扉が中枠を連動して第１方向へ開放する安定性を強化することができるようにする請求項１に記載の双方向ドアドアクローザーを有する双方向ドア。
【請求項７】
前記扉は、該中枠を押し動かし離脱させ、第１方向に相対して、第２方向へ開放する小ドアを形成する請求項１に記載の双方向ドアドアクローザーを有する双方向ドア。
【請求項８】
前記中枠は、扉に結合して該大和久を押し動かして離脱させ、第２方向に相対して第１方向へ開放する大ドアを形成する請求項１に記載の双方向ドアドアクローザーを有する双方向ドア。
【請求項９】
前記中枠は、更に、ストッパを含み、該ストッパは、中枠内縁を覆う一部分に結合される請求項１に記載の双方向ドアドアクローザーを有する双方向ドア。
【請求項１０】
内側に大枠内縁を形成し、大枠内縁上側に位置する第１横柱を含む大枠と、
内側に中枠内縁を形成し、第２横柱を含む中枠と、
一側が該大枠に接続され、他側が中枠に対応して接続され、第１方向にのみ回転するように取り付けられ、これにより、該中枠が該大枠内縁に相対して第１方向へ往復回転して開閉できる第１ヒンジと、
扉と、
一側が前記中枠に接続され、他側が該扉に接続され、ただ第２方向にのみ回転するように取り付けられ、これにより、該扉が該中枠内縁に相対して第２方向へ往復回転して開閉できる第２ヒンジと、
第２横柱に結合する本体と、第１方向へ回転可能に大枠に結合される滑動アームと、を含む第１ドアクローザーと、
第２横柱に結合する本体と、第２方向へ回転可能に扉に結合される滑動アームと、を含む第２ドアクローザーと、
を含む双方向ドアドアクローザーを有する双方向ドア。
【請求項１１】
本体、第１滑動アーム、第２滑動アームを含み、該第１アームは、第１前端と、前端に設けられる第１ストッパと、第１後端と、を含み、該第２滑動アームは、第２前端と、該第２前端に設けられる第２ストッパと、第２後端と、を含む双方向ドアクローザー構造であって、
該本体は、更に、本体内側に回転可能に結合する軸輪と、該本体内部に中空空間に定義される軌道空間と、弾性部材と、滑動ブロックと、を含み、該滑動ブロックは、ギアレールを含み、該弾性部材及び滑動ブロックは、互いに当接して該軌道空間内に設けられ、同時に、該滑動ブロックのギアレールは、該軸輪に移動可能に噛み合わせ、該軸輪は、上端及び下端を含み、該上端は、本体一側に凸伸し、該下端は、本体他側に凸伸し、
前記ドアクローザーは、更に、第１カム、第２カムを含み、該第１カムは、軸輪の上端に結合し、該第２カムは、軸輪の下端に結合され、
該第１滑動アームの第１前端は、上端に回転可能に渇仰され、該第１カムに隣接し、該第１カム及び該第１ストッパは、平行であり且つ接触噛み合い又は分離することができ、
該第２滑動アームの第２前端は、下端に滑動可能に結合され、該第２カムに隣接し、該第２カム及び該第２ストッパは、平行であり且つ接触噛み合い又は分離することができる双方向ドアクローザー構造。
【請求項１２】
前記滑動ブロックは、更に中空溝を含み、前記ギアレールは、該中空溝の一側に形成され、該軸輪は、本体内側に回転可能に結合されると同時に、該滑動ブロックの中空溝に貫通設置され、該軸輪により該ギアレールに噛み合う請求項１１に記載の双方向ドアドアクローザー構造。
を有する双方向ドア。
【請求項１３】
前記第１カムは、更に、第１軸孔を含み、該第１軸孔は、軸輪の上端に結合され、該第２カムは、更に、第２軸孔を含み、該第２軸孔は、軸輪の第１前端に結合される請求項１１に記載の双方向ドアドアクローザー構造。
【考案の詳細な説明】
【技術分野】
【０００１】
本考案は、双方向ドアドアクローザーを有する双方向ドアに関する。
【背景技術】
【０００２】
現代の建築物公共空間のドアをパーティションとした応用は、何れもノーマルオープン（例えば、出入りに便利である為）及びノーマルクローズ（例えば、アクセスコントロール）であり、緊急時、避難者が既に緊急閉鎖された扉に直面した場合、何れも最も直感的動作―ドアを押す（push, instead of pull）ことによって非難できる必要があり、技術的には、予期し得ない現場状況では、双方向に開閉し且つドアを押して非難（Two-way escape route）させること、ドアを閉鎖して防火することが必要な安全任務となっている。
【０００３】
市販の従来の偏心型(single-action)のドア枠は、ただ単一方向にのみ開放することができ、中心型(double-action)の扉は、内外双方向に開放することができるが、扉及びドア枠の間の軸回転角度の制限により、扉の押し引きの開放は、ドア枠の制限を受け、極限角度、例えば、１８０度を達成することができない。
【先行技術文献】
【特許文献】
【０００４】
【特許文献１】登録実用新案第３１８１８１０号公報
【考案の概要】
【考案が解決しようとする課題】
【０００５】
上記技術問題を解決する為、本考案が提供する双方向ドアドアクローザーを有する双方向ドアは、双方向ドアのドア中ドア構造を使用し、大ドアと同時に小ドアを含む２つの実体ドアを形成し、同時に双方向ドアクローザーを利用し、２つの単一方向開放をそれぞれ管理する扉機能を利用し、ドア枠が任意に双方向に開閉され、柔軟性を有して任意の方向にドアを押して避難し、ドアを閉鎖して防火する機能を達成することができる。
【課題を解決するための手段】
【０００６】
本考案の双方向ドアドアクローザーを有する双方向ドアは、内側に大枠内縁を形成し、大枠内縁上側に位置する第１横柱を含む大枠と、内側に中枠内縁を形成し、中枠内縁上側に位置する第２横柱を含む中枠と、一側が該大枠に接続され、他側が中枠に接続され、第１方向にのみ回転するように取り付けられ、これにより、該中枠が該大枠内縁に相対して第１方向へ往復回転して開閉される第１ヒンジと、扉と、一側が前記中枠に接続され、他側が該扉に接続され、ただ第２方向にのみ回転するように取り付けられ、これにより、該扉が該中枠内縁に相対して第２方向へ往復回転して開閉される第２ヒンジと、第２横柱、第１滑動アーム、第２滑動アームに結合する本体と、該第１滑動アームは、第１前端と、該第１前端に設けられる第１ストッパと、第１横柱に移動可能に結合される第１後端と、を含み、該第２滑動アームは、第２前端、該第２前端に設けられる第２ストッパと、該扉に移動可能に結合される第２後端と、を含む双方向ドアクローザーと、を含む。
【考案の効果】
【０００７】
本考案の双方向ドアドアクローザーを有する双方向ドアは、二枠一扉の３つが１つに合わさった構造を含み、実質上一枠二扉の独立ドア構造を形成し、精巧な開放方向をもたらし、双方向ドアのドア中ドア構造を利用し、大ドアと同時に小ドアを含む２つの単一方向に開放する扉機能をそれぞれ管理し、ドア枠が任意に双方向に開閉され、柔軟性を有して任意の方向にドアを押して避難し、ドアを閉鎖して防火する機能を達成することができる。
【図面の簡単な説明】
【０００８】
【図１】本考案の双方向ドアドアクローザー構造を有する双方向ドアの外観立体図である。
【図２】本考案の双方向ドアドアクローザー構造を有する双方向ドアの扉の断面図である。
【図３】本考案の双方向ドアドアクローザー構造を有する双方向ドアの扉の中枠を連動して開放する大ドアの説明図である。
【図４】本考案の双方向ドアドアクローザー構造を有する双方向ドアの扉の中枠を連動して開放する大ドアであり、ドア体が第１方向Ａへ１８０度展開された状態を示す説明図である。
【図５】本考案の双方向ドアドアクローザー構造を有する双方向ドアの扉の中枠を連動して開放する大ドアであり、ドア体が第２方向へ向いた状態を示す説明図１である。
【図６】本考案の双方向ドアドアクローザー構造を有する双方向ドアの扉の中枠を連動して開放する大ドアであり、ドア体が第２方向へ向いた状態を示す説明図２である。
【図７】本考案の双方向ドアドアクローザー構造を有する双方向ドアの扉の中枠を連動して開放する大ドアであり、ドア体が第２方向へ向いた状態を示す説明図３である。
【図８】本考案の双方向ドアドアクローザー構造を有する双方向ドアの扉の第２方向へ開放する小ドアの説明図である。
【図９】本考案の双方向ドアドアクローザー構造を有する双方向ドアの実施例であり、扉、双方向ドアクローザー及びドア枠の組み合わせ図であり、扉が第１方向へ展開された状態を示す図である。
【図１０】本考案の双方向ドアドアクローザー構造を有する双方向ドアの実施例であり、扉、双方向ドアクローザー及びドア枠の組み合わせ図であり、扉が第２方向へ展開された状態を示す図である。
【図１１Ａ】本考案の双方向ドアドアクローザー構造を有する双方向ドアのドアクローザーの説明図である。
【図１１Ｂ】本考案の双方向ドアドアクローザー構造を有する双方向ドアのドアクローザーの分解説明図である。
【図１２Ａ】本考案の双方向ドアドアクローザー構造を有する双方向ドアのドアクローザーが回転を行い、双方向ドアの開閉を達成する局部説明図１である。
【図１２Ｂ】本考案の双方向ドアドアクローザー構造を有する双方向ドアのドアクローザーが回転を行い、双方向ドアの開閉を達成する局部説明図２である。
【図１２Ｃ】本考案の双方向ドアドアクローザー構造を有する双方向ドアのドアクローザーが回転を行い、双方向ドアの開閉を達成する局部説明図３である。
【図１２Ｄ】本考案の双方向ドアドアクローザー構造を有する双方向ドアのドアクローザーが回転を行い、双方向ドアの開閉を達成する局部説明図４である。
【図１３】本考案の双方向ドアドアクローザー構造を有する双方向ドアのドアクローザーの他の実施例の構造説明図である。
【考案を実施するための形態】
【０００９】
以下に図面及び部材符号を合わせ、本考案の実施例に更に詳細な説明を行い、当業者が本明細書を閲読後に実施できるようにする。
【００１０】
図１〜図８に示すように、本考案の双方向ドアドアクローザーを有する双方向ドアは、内側に大枠内縁２１を形成する大枠２と、内側に中枠内縁３１を形成し、外側に中枠外縁３３を形成し、該中枠外縁３３が大枠２１より小さい中枠３と、一側が該大枠２に接続され、他側が中枠３に接続され、第１方向Ｓ１にのみ回転するように取り付けられ、これにより、該中枠３が該大枠内縁２１に相対して第１方向Ｓ１へ往復回転して開閉できる第１ヒンジ４と、扉外縁５１を有し、該扉外縁５１は、該中枠内縁３１より小さい扉５と、一側が前記中枠３に接続され、他側が該扉外縁５１に接続され、ただ第２方向Ｓ２にのみ回転できるように取り付けられ、第１方向Ｓ１へ不可逆機能を形成し、これにより、該扉が該中枠内縁３１に相対して第２方向Ｓ２へ往復回転して開閉できる第２ヒンジと、を含む。
【００１１】
図３に示すように、該扉５は、第２ヒンジ６の第１方向Ｓ１へ不可逆効果の補助を受けるが、連結すると同時に中枠３を連動させ、第１方向Ｓ１へ開放可能な大ドアＡを形成する。
【００１２】
図８に示すように、該扉５は、該中枠３を押し動かして離脱させ、第１方向Ｓ１に相対して第２方向Ｓ２へ開放可能な小ドアＢを形成する。
【００１３】
上記の大ドアＡの第１方向Ｓ１への開放又は小ドアＢの第２方向Ｓ２への開放は、外向き又は内向き（又は左向き、右向き）に開放する双方向機能を達成する。
【００１４】
図１及び図３を同時に参照し、本考案の実施例において、該中枠３は、更に、ストッパ３０を含み、該ストッパ３０は、中枠内縁３１の一部分を覆って結合し、本実施例において、該ストッパ３０は、例えば、中枠内縁３１上側に位置し、該扉５の該ストッパ３０に対応する部分が該ストッパ３０に係止でき、扉５が中枠３を連動して第１方向Ｓ１へ開放する安定性を強化することができる。
【００１５】
既存のドア枠と比較し、本考案は、ドア用ヒンジの異なる取り付け方向の補助を受けて、大枠２、中枠３及び扉５を結合し、二枠(door frame)一扉(door leaf)の３つが１つになった中ドア構造を形成し、実質上一枠二扉の独立ドア構造(Door-set structure)を形成し、該ドア中ドア機能の大ドアＡが同時に小ドアＢを含む２つの実体ドアであり、それぞれ２つの単一方向の開放の扉機能を管理し、そのうち、該中枠３及び扉５は、大枠２を基軸として第１方向Ｓ１へ開放可能な大ドアＡを形成する。該扉５は、中枠３を基軸とし、第１方向Ｓ１に相対し、第２方向Ｓ２へ開放可能な小ドアＢを形成し、精巧な開放方向をもたらし、大きな角度の開放及び柔軟に任意方向へドアを押して避難でき、ドアを閉鎖して防火する機能を達成する。
【００１６】
本考案の実施方式において、そのうち、該第１ヒンジ４又は第２ヒンジ６は、速度調節を有するヒンジを選択し、扉の速度が過度大きく、使用者に衝撃を与えることを回避し、使用者の安全を保護する。
【００１７】
図９、図１０を参照し、本考案の実施例において、該双方向ドアは、大枠２と、中枠３と、第１ヒンジ４と、扉５と、第２ヒンジ６と、双方向ドアクローザー７と、を含み、該大枠２内側に大枠内縁２１を形成し、該大枠２は、大枠内縁２１上側に位置する第１横柱２５を含み、該中枠３内側に中枠内縁３１を形成し（図１０参照）、該中枠３外側に中枠外縁３３を形成し、該中枠３は、第２横柱３５を含み、該第２横柱３５は、中枠内縁３１上側に設置され、該中枠外縁３３は、大枠内縁２１より小さく、該第１ヒンジ４一側は、該大枠２に接続し、該第１ヒンジ４他側は、中枠外縁３３に対応して接続し、該第１ヒンジ４は、ただ第１方向Ｓ１へ向けて操作空間内の範囲内で往復回転することができ、これにより、該中枠３及び扉５（図９を参照）は、該大枠内縁２１に相対して第１方向Ｓ１へ向けて往復回転閉鎖することができ、該扉５は、扉外縁５１を有し、該扉５１は、該中枠内縁３１より小さく、該第２ヒンジ６一側は、前記中枠３に接続し、該第２ヒンジ６他側は、該扉外縁５１の対応する一側に接続し、該第２ヒンジ６は、第２方向Ｓ２へ向けてのみ操作空間の範囲内で往復回転することができように取り付けられ、これにより、該扉５（図１０参照）は、該中枠内縁３１に相対して第２方向Ｓ２へ向けて回転運動し閉鎖することができ、ドア中ドア構造を形成し、該双方向ドアクローザー７は、第２横柱３５に結合する本体７１を含み、本実施例の該本体７１は、第２横柱３５内部に結合し、該双方向ドアクローザー７は、更に、第１方向Ｓ１へ往復回転可能に本体７１一側に結合する第１滑動アーム７３と、該第１方向に相対する第２方向Ｓ２へ往復回転可能に本体７１他側に結合する第２滑動アーム７５と、を含む。
【００１８】
前記第１滑動アーム７３は、更に、本体７１一側に回転可能に結合する第１前端７３１と、第１横柱２５に結合する第１後端７３３と、を含み、該第２滑動アーム７５は、更に、本体７１他側に回転可能に結合する第２前端７５１と、扉５上側に結合する第２後端７５２と、を含む。
【００１９】
本実施例において、該第１横柱２５は、更に第１横溝２５１を含み、該第１滑動アーム７３の第１後端７３３は、第１滑動溝２５１に滑動可能に結合し、該扉５は、更に、上側に位置する第２滑動溝５３を含み、該第２滑動アーム７５の第２後端７５２は、第２滑動溝５３に滑動可能に結合する。
【００２０】
これによって、該中枠３及び扉５は、大枠２を基軸として第１方向Ｓ１に往復可能に開放又は閉鎖する大ドアを形成するか、該扉５に相反して中枠３を基軸とし、第１方向Ｓ１に相対して第２方向Ｓ２に往復可能に開放又は閉鎖する小ドアを形成する。
【００２１】
前記実施例と異なるのは、該双方ドアクローザー７であり、扉閉鎖の回復機構及び速度調節を有し、第１滑動アーム７３は、第１後端７３３の補助を受けて第１横柱２５に移動可能に結合することができ、双方向ドアクローザー７の速度調節の補助を受けて該中枠３及び扉５の第１方向Ｓ１への開放又は回復閉鎖を緩衝することができ、該第２滑動アーム７５は、第２後端７５２の補助を受けて扉５上側に移動して結合することができ、双方向ドアクローザー７の速度調節の補助を受けて該扉の第２方向Ｓ２への開放又は回復閉鎖を緩衝することができる。
【００２２】
図１１Ａ、図１１Ｂ、図１２Ａ、図１２Ｂ、図１２Ｃ及び図１２Ｄを同時に参照し、そのうち、該双方向ドアクローザー７が本実施例に存在し、そのうち、本体７１は、本体７１内側に回転可能に結合する軸輪７７と、該本体７１内部に中空空間に定義される軌道空間７２と、弾性部材７４と、滑動ブロック７６と、を含み、該滑動ブロック７６は、ギアレール７６１を含み、該弾性部材７４及び滑動ブロック７６は、該起動空間７２内に互いに当接するように設けられ、同時に該滑動ブロック７６のギアレール７６１は、移動可能に該軸輪７７に噛み合い、実施例図において、該滑動ブロック７６は、更に、中空溝７６０を含み、前記ギアレール７６１は、該中空溝７６０の一側に形成され、該軸輪７７は、本体７１内側に回転可能に結合すると同時に該滑動ブロック７６の中空溝７６０に貫通設置され、該軸輪７７により該ギアレール７６１に噛み合い、該軸輪７７は、更に、上端７７１及び下端７７３を含み、該上端７７１は、本体７１一側に凸伸され、該下側７７３は、本体７１他側に凸伸する。
【００２３】
前記双方向ドアクローザー７は、更に、第１カム７３５と、第２カム７５５と、を含み、該第１カム７３５は、軸輪７７の上端７７１に結合し、該第２カム７５５は、軸輪７７の下端７７３に結合する。
【００２４】
該第１滑動アーム７３は、更に、第１ストッパ７３２は、第１前端７３１に設けられ、該第１カム７３５は、更に、第１軸孔７３７を含み、該第１軸孔７３７は、軸輪７７の上端７７１に結合し、該第１滑動アーム７３の第１前端７３１は、回転可能に上端７７１に結合し、該第１カム７３５に隣接し、これにより、該第１カム７３５及び該第１ストッパ７３２は、平行であり、且つ接触噛み合い又は分離することができる。
【００２５】
該第２滑動アーム７５は、更に、第２前端７５１に設けられる第２ストッパ７３５を含み、該第２カム７５５は、更に第２軸孔７５７を含み、該第２軸孔７５７は、軸輪７７の第２前端７５１に結合し、該第２滑動アーム７５の第２前端７５１は、回転可能に下端７７３に決王氏、該第２カム７５５に隣接し、これにより、該第２カム７５５及び該第２ストッパ７５３は、平行であり、且つ接触噛み合い又は分離することができる。
【００２６】
図１２Ａ及び図１２Ｂを参照し、上記構造の記載のように、第１カム７３５及び第２カム７５５は、それぞれ軸輪７７両側に結合し、同軸且つ同期回転可能な構造を形成し、これにより、使用者は、該中枠３及び扉５を開放し（図９を同時に参照）、該第１滑動アーム７３の第１ストッパ７３２を連動して第１カム７３５を係合(engage)し、該中枠３及び扉５は、第１方向Ｓ１へ回転開放し、該軸輪７７が第１カム７３５の同期連動を受けて順時計回りに軸回転し、該ギアレール７６１を連動し、滑動ブロック７６を作動させ、該弾性部材７４を圧縮し、運動エネルギーを蓄積させ、同一時間において、該第２カム７５５は、該第２ストッパ７５３から離脱し(disengage)、従って、該扉５は、中枠３内側に結合した状態を維持し、中枠３及び扉５を逆向きに押し動かし、大枠２まで復帰させて閉鎖させる。
【００２７】
図１２Ｃ及び図１２Ｄを参照し、反対に、使用者が該扉５を開放し、第２方向Ｓ２へ回転させ、第２滑動アーム７５の第２ストッパ７５２を連動し、該第２カム７５５を係止(engage)し、該軸輪７７は、第２カム７５５の同期連動を受けて反時計回りに回転し、該ギアレール７６１を連動し、滑動ブロック７６を作動させ、該弾性部材７４を圧縮し、運動エネルギーを蓄積させ、同一時間において、該第１カム７３５が該第１ストッパ７３２から離脱(disengage)し、該中枠３が動作せずに暫定的に大枠２内に固定され、扉５の閉鎖時、該蓄積した弾性部材７４が逆方向に該扉５を押し動かし、中枠３まで復帰し、閉鎖する。
【００２８】
特に説明すべき点として、上記実施例の本考案が提供する双方向ドアクローザー７は、中枠３に結合し、双方向ドアクローザー７は、方向選択メカニズムを有する第１滑動アーム７３及び第２滑動アーム７５を統合し、それぞれ異なる有効な方向メカニズムを有し、大ドア及び扉に接続し、双方向ドアクローザー７に異なる方向を解決させ、それぞれ独立した双方向閉鎖効果をもたせ、特に、第１カム７３５及び第２カム７５５が軸輪７７の両端で軸を共有する状況において、第１ストッパ７３２を合わせて第１滑動アーム７３を連動し、第２ストッパ７５３を合わせて第２滑動アーム７５を連動し、単一の双方向ドアクローザー７により異なる方向の２つの扉を管制し、この競合作用は、クラッチと類似する。本実施例の構造は、従来のドアクローザーのメカニズムの下では、実際に「双方向を１つに合わせ、押して避難する」ように動作することはできず、即ち、単一のドアクローザーは、本考案の２つの単一方向に開放する扉機能を分けて管理することができず、本考案の双方向ドア及びその双方向ドアクローザー７の構造機能は、従来技術と全く異なる設計である。
【００２９】
図１３に示すように、本実施例の双方向ドアクローザー７は、他の実施方式において、２つの従来の第１ドアクローザー８及び第２ドアクローザー９を用いて取って代えることができる。
【００３０】
該双方向ドアは、内側に大枠内縁２１を形成し、大枠内縁２１上側に位置する第１横柱２５を含む大枠２と、内側に中枠内縁３１を形成し、外側に中枠外縁３３を形成し、第２横柱３５を含み、該中枠外縁３３が大枠２１より小さい中枠３と、一側が該大枠２に接続され、他側が中枠外縁３３に対応して接続され、第１方向Ｓ１にのみ回転するように取り付けられ、これにより、該中枠３が該大枠内縁２１に相対して第１方向Ｓ１へ往復回転して開閉できる第１ヒンジ４と、扉外縁５１を有し、該扉外縁５１は、該中枠内縁３１より小さい扉５と、一側が前記中枠３に接続され、他側が該扉外縁５１の対応する一側に接続され、ただ第２方向Ｓ２にのみ回転できるように取り付けられ、これにより、該扉が該中枠内縁３１に相対して第２方向Ｓ２へ往復回転して開閉できる第２ヒンジと、を含み、ドア中ドア構造を形成する。
【００３１】
第１ドアクローザー８は、第２横柱３５に結合される本体８１と、第１方向Ｓ１へ回転可能に大枠２に結合する滑動アーム８３と、を含む。
【００３２】
第２ドアクローザー９は、第２横柱３５に結合する本体９１を含み、本実施例の該本体９１は、第２横柱３５内部に結合され、滑動アーム９３は、第２方向Ｓ２へ回転可能に扉５に結合され、該第１横柱２５は、第１滑動溝２５１を含み、該第１滑動アーム７３の第１後端７３３は、第１滑動溝２５１に滑動可能に結合され、該扉５は、更に、上側に位置する第２滑動溝３５１を含み、該第２滑動アーム７５の第２後端７５２は、第２滑動溝３５１に滑動可能に結合される。これにより、２つの従来のドアクローザーも前記実施例の双方向ドア閉鎖機能を達成することができ、その実施方式は、前記実施例に従うことができるので、ここでは再度記載しない。
【００３３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３４】
２  大枠
２１  大枠内縁
２５  第１横柱
２５１  第１滑動溝
３  中枠
３０  ストッパ
３１  中枠内縁
３３  中枠外縁
３５  第２横柱
４  第１ヒンジ
５  扉
５１  扉外縁
５３  第２滑動溝
６  第２ヒンジ
７  双方向ドアクローザー
７１  本体
７２  軌道空間
７３  第１滑動アーム
７３１  第１前端
７３２  第１ストッパ
７３３  第１後端
７３７  第１軸
７３５  第１カム孔
７４  弾性部材
７５  第２滑動アーム
７５１  第２前端
７５２  第２後端
７５３  第２ストッパ
７５５  第２カム
７６  滑動ブロック
７６１  ギアレール
７７  軸輪
７６０  中空溝
７７１  上端
７７３  下端
８  第１ドアクローザー
８１  本体
８３  滑動アーム
９  第２ドアクローザー
９１  本体
９３  滑動アーム
Ａ  大ドア
Ｂ  小ドア
Ｓ１  第１方向
Ｓ２  第２方向
【図１】
0003197118.tif 000003
【図２】
0003197118.tif 000004
【図３】
0003197118.tif 000005
【図４】
0003197118.tif 000006
【図５】
0003197118.tif 000007
【図６】
0003197118.tif 000008
【図７】
0003197118.tif 000009
【図８】
0003197118.tif 000010
【図９】
0003197118.tif 000011
【図１０】
0003197118.tif 000012
【図１１Ａ】
0003197118.tif 000013
【図１１Ｂ】
0003197118.tif 000014
【図１２Ａ】
0003197118.tif 000015
【図１２Ｂ】
0003197118.tif 000016
【図１２Ｃ】
0003197118.tif 000017
【図１２Ｄ】
0003197118.tif 000018
【図１３】
0003197118.tif 000019
【手続補正書】
【提出日】平成27年2月20日(2015.2.20)
【手続補正１】
【補正対象書類名】明細書
【補正対象項目名】全文
【補正方法】変更
【補正の内容】
【考案の詳細な説明】
【技術分野】
【０００１】
本考案は、双方向ドアクローザーを有する双方向ドアに関する。
【背景技術】
【０００２】
現代の建築物公共空間のドアをパーティションとした応用は、何れもノーマルオープン（例えば、出入りに便利である為）及びノーマルクローズ（例えば、アクセスコントロール）であり、緊急時、避難者が既に緊急閉鎖された扉に直面した場合、何れも最も直感的動作―ドアを押す（push, instead of pull）ことによって非難できる必要があり、技術的には、予期し得ない現場状況では、双方向に開閉し且つドアを押して非難（Two-way escape route）させること、ドアを閉鎖して防火することが必要な安全任務となっている。
【０００３】
市販の従来の偏心型(single-action)のドア枠は、ただ単一方向にのみ開放することができ、中心型(double-action)の扉は、内外双方向に開放することができるが、扉及びドア枠の間の軸回転角度の制限により、扉の押し引きの開放は、ドア枠の制限を受け、極限角度、例えば、１８０度を達成することができない。
【先行技術文献】
【特許文献】
【０００４】
【特許文献１】登録実用新案第３１８１８１０号公報
【考案の概要】
【考案が解決しようとする課題】
【０００５】
上記技術問題を解決する為、本考案が提供する双方向ドアクローザーを有する双方向ドアは、双方向ドアのドア中ドア構造を使用し、大ドアと同時に小ドアを含む２つの実体ドアを形成し、同時に双方向ドアクローザーを利用し、２つの単一方向開放をそれぞれ管理する扉機能を利用し、ドア枠が任意に双方向に開閉され、柔軟性を有して任意の方向にドアを押して避難し、ドアを閉鎖して防火する機能を達成することができる。
【課題を解決するための手段】
【０００６】
本考案の双方向ドアクローザーを有する双方向ドアは、内側に大枠内縁を形成し、大枠内縁上側に位置する第１横柱を含む大枠と、内側に中枠内縁を形成し、中枠内縁上側に位置する第２横柱を含む中枠と、一側が該大枠に接続され、他側が中枠に接続され、第１方向にのみ回転するように取り付けられ、これにより、該中枠が該大枠内縁に相対して第１方向へ往復回転して開閉される第１ヒンジと、扉と、一側が前記中枠に接続され、他側が該扉に接続され、ただ第２方向にのみ回転するように取り付けられ、これにより、該扉が該中枠内縁に相対して第２方向へ往復回転して開閉される第２ヒンジと、第２横柱、第１滑動アーム、第２滑動アームに結合する本体と、該第１滑動アームは、第１前端と、該第１前端に設けられる第１ストッパと、第１横柱に移動可能に結合される第１後端と、を含み、該第２滑動アームは、第２前端、該第２前端に設けられる第２ストッパと、該扉に移動可能に結合される第２後端と、を含む双方向ドアクローザーと、を含む。
【考案の効果】
【０００７】
本考案の双方向ドアクローザーを有する双方向ドアは、二枠一扉の３つが１つに合わさった構造を含み、実質上一枠二扉の独立ドア構造を形成し、精巧な開放方向をもたらし、双方向ドアのドア中ドア構造を利用し、大ドアと同時に小ドアを含む２つの単一方向に開放する扉機能をそれぞれ管理し、ドア枠が任意に双方向に開閉され、柔軟性を有して任意の方向にドアを押して避難し、ドアを閉鎖して防火する機能を達成することができる。
【図面の簡単な説明】
【０００８】
【図１】本考案の双方向ドアクローザー構造を有する双方向ドアの外観立体図である。
【図２】本考案の双方向ドアクローザー構造を有する双方向ドアの扉の断面図である。
【図３】本考案の双方向ドアクローザー構造を有する双方向ドアの扉の中枠を連動して開放する大ドアの説明図である。
【図４】本考案の双方向ドアクローザー構造を有する双方向ドアの扉の中枠を連動して開放する大ドアであり、ドア体が第１方向Ａへ１８０度展開された状態を示す説明図である。
【図５】本考案の双方向ドアクローザー構造を有する双方向ドアの扉の中枠を連動して開放する大ドアであり、ドア体が第２方向へ向いた状態を示す説明図１である。
【図６】本考案の双方向ドアクローザー構造を有する双方向ドアの扉の中枠を連動して開放する大ドアであり、ドア体が第２方向へ向いた状態を示す説明図２である。
【図７】本考案の双方向ドアクローザー構造を有する双方向ドアの扉の中枠を連動して開放する大ドアであり、ドア体が第２方向へ向いた状態を示す説明図３である。
【図８】本考案の双方向ドアクローザー構造を有する双方向ドアの扉の第２方向へ開放する小ドアの説明図である。
【図９】本考案の双方向ドアクローザー構造を有する双方向ドアの実施例であり、扉、双方向ドアクローザー及びドア枠の組み合わせ図であり、扉が第１方向へ展開された状態を示す図である。
【図１０】本考案の双方向ドアクローザー構造を有する双方向ドアの実施例であり、扉、双方向ドアクローザー及びドア枠の組み合わせ図であり、扉が第２方向へ展開された状態を示す図である。
【図１１Ａ】本考案の双方向ドアクローザー構造を有する双方向ドアのドアクローザーの説明図である。
【図１１Ｂ】本考案の双方向ドアクローザー構造を有する双方向ドアのドアクローザーの分解説明図である。
【図１２Ａ】本考案の双方向ドアクローザー構造を有する双方向ドアのドアクローザーが回転を行い、双方向ドアの開閉を達成する局部説明図１である。
【図１２Ｂ】本考案の双方向ドアクローザー構造を有する双方向ドアのドアクローザーが回転を行い、双方向ドアの開閉を達成する局部説明図２である。
【図１２Ｃ】本考案の双方向ドアクローザー構造を有する双方向ドアのドアクローザーが回転を行い、双方向ドアの開閉を達成する局部説明図３である。
【図１２Ｄ】本考案の双方向ドアクローザー構造を有する双方向ドアのドアクローザーが回転を行い、双方向ドアの開閉を達成する局部説明図４である。
【図１３】本考案の双方向ドアクローザー構造を有する双方向ドアのドアクローザーの他の実施例の構造説明図である。
【考案を実施するための形態】
【０００９】
以下に図面及び部材符号を合わせ、本考案の実施例に更に詳細な説明を行い、当業者が本明細書を閲読後に実施できるようにする。
【００１０】
図１〜図８に示すように、本考案の双方向ドアクローザーを有する双方向ドアは、内側に大枠内縁２１を形成する大枠２と、内側に中枠内縁３１を形成し、外側に中枠外縁３３を形成し、該中枠外縁３３が大枠２１より小さい中枠３と、一側が該大枠２に接続され、他側が中枠３に接続され、第１方向Ｓ１にのみ回転するように取り付けられ、これにより、該中枠３が該大枠内縁２１に相対して第１方向Ｓ１へ往復回転して開閉できる第１ヒンジ４と、扉外縁５１を有し、該扉外縁５１は、該中枠内縁３１より小さい扉５と、一側が前記中枠３に接続され、他側が該扉外縁５１に接続され、ただ第２方向Ｓ２にのみ回転できるように取り付けられ、第１方向Ｓ１へ不可逆機能を形成し、これにより、該扉が該中枠内縁３１に相対して第２方向Ｓ２へ往復回転して開閉できる第２ヒンジと、を含む。
【００１１】
図３に示すように、該扉５は、第２ヒンジ６の第１方向Ｓ１へ不可逆効果の補助を受けるが、連結すると同時に中枠３を連動させ、第１方向Ｓ１へ開放可能な大ドアＡを形成する。
【００１２】
図８に示すように、該扉５は、該中枠３を押し動かして離脱させ、第１方向Ｓ１に相対して第２方向Ｓ２へ開放可能な小ドアＢを形成する。
【００１３】
上記の大ドアＡの第１方向Ｓ１への開放又は小ドアＢの第２方向Ｓ２への開放は、外向き又は内向き（又は左向き、右向き）に開放する双方向機能を達成する。
【００１４】
図１及び図３を同時に参照し、本考案の実施例において、該中枠３は、更に、ストッパ３０を含み、該ストッパ３０は、中枠内縁３１の一部分を覆って結合し、本実施例において、該ストッパ３０は、例えば、中枠内縁３１上側に位置し、該扉５の該ストッパ３０に対応する部分が該ストッパ３０に係止でき、扉５が中枠３を連動して第１方向Ｓ１へ開放する安定性を強化することができる。
【００１５】
既存のドア枠と比較し、本考案は、ドア用ヒンジの異なる取り付け方向の補助を受けて、大枠２、中枠３及び扉５を結合し、二枠(door frame)一扉(door leaf)の３つが１つになった中ドア構造を形成し、実質上一枠二扉の独立ドア構造(Door-set structure)を形成し、該ドア中ドア機能の大ドアＡが同時に小ドアＢを含む２つの実体ドアであり、それぞれ２つの単一方向の開放の扉機能を管理し、そのうち、該中枠３及び扉５は、大枠２を基軸として第１方向Ｓ１へ開放可能な大ドアＡを形成する。該扉５は、中枠３を基軸とし、第１方向Ｓ１に相対し、第２方向Ｓ２へ開放可能な小ドアＢを形成し、精巧な開放方向をもたらし、大きな角度の開放及び柔軟に任意方向へドアを押して避難でき、ドアを閉鎖して防火する機能を達成する。
【００１６】
本考案の実施方式において、そのうち、該第１ヒンジ４又は第２ヒンジ６は、速度調節を有するヒンジを選択し、扉の速度が過度大きく、使用者に衝撃を与えることを回避し、使用者の安全を保護する。
【００１７】
図９、図１０を参照し、本考案の実施例において、該双方向ドアは、大枠２と、中枠３と、第１ヒンジ４と、扉５と、第２ヒンジ６と、双方向ドアクローザー７と、を含み、該大枠２内側に大枠内縁２１を形成し、該大枠２は、大枠内縁２１上側に位置する第１横柱２５を含み、該中枠３内側に中枠内縁３１を形成し（図１０参照）、該中枠３外側に中枠外縁３３を形成し、該中枠３は、第２横柱３５を含み、該第２横柱３５は、中枠内縁３１上側に設置され、該中枠外縁３３は、大枠内縁２１より小さく、該第１ヒンジ４一側は、該大枠２に接続し、該第１ヒンジ４他側は、中枠外縁３３に対応して接続し、該第１ヒンジ４は、ただ第１方向Ｓ１へ向けて操作空間内の範囲内で往復回転することができ、これにより、該中枠３及び扉５（図９を参照）は、該大枠内縁２１に相対して第１方向Ｓ１へ向けて往復回転閉鎖することができ、該扉５は、扉外縁５１を有し、該扉５１は、該中枠内縁３１より小さく、該第２ヒンジ６一側は、前記中枠３に接続し、該第２ヒンジ６他側は、該扉外縁５１の対応する一側に接続し、該第２ヒンジ６は、第２方向Ｓ２へ向けてのみ操作空間の範囲内で往復回転することができように取り付けられ、これにより、該扉５（図１０参照）は、該中枠内縁３１に相対して第２方向Ｓ２へ向けて回転運動し閉鎖することができ、ドア中ドア構造を形成し、該双方向ドアクローザー７は、第２横柱３５に結合する本体７１を含み、本実施例の該本体７１は、第２横柱３５内部に結合し、該双方向ドアクローザー７は、更に、第１方向Ｓ１へ往復回転可能に本体７１一側に結合する第１滑動アーム７３と、該第１方向に相対する第２方向Ｓ２へ往復回転可能に本体７１他側に結合する第２滑動アーム７５と、を含む。
【００１８】
前記第１滑動アーム７３は、更に、本体７１一側に回転可能に結合する第１前端７３１と、第１横柱２５に結合する第１後端７３３と、を含み、該第２滑動アーム７５は、更に、本体７１他側に回転可能に結合する第２前端７５１と、扉５上側に結合する第２後端７５２と、を含む。
【００１９】
本実施例において、該第１横柱２５は、更に第１横溝２５１を含み、該第１滑動アーム７３の第１後端７３３は、第１滑動溝２５１に滑動可能に結合し、該扉５は、更に、上側に位置する第２滑動溝５３を含み、該第２滑動アーム７５の第２後端７５２は、第２滑動溝５３に滑動可能に結合する。
【００２０】
これによって、該中枠３及び扉５は、大枠２を基軸として第１方向Ｓ１に往復可能に開放又は閉鎖する大ドアを形成するか、該扉５に相反して中枠３を基軸とし、第１方向Ｓ１に相対して第２方向Ｓ２に往復可能に開放又は閉鎖する小ドアを形成する。
【００２１】
前記実施例と異なるのは、該双方ドアクローザー７であり、扉閉鎖の回復機構及び速度調節を有し、第１滑動アーム７３は、第１後端７３３の補助を受けて第１横柱２５に移動可能に結合することができ、双方向ドアクローザー７の速度調節の補助を受けて該中枠３及び扉５の第１方向Ｓ１への開放又は回復閉鎖を緩衝することができ、該第２滑動アーム７５は、第２後端７５２の補助を受けて扉５上側に移動して結合することができ、双方向ドアクローザー７の速度調節の補助を受けて該扉の第２方向Ｓ２への開放又は回復閉鎖を緩衝することができる。
【００２２】
図１１Ａ、図１１Ｂ、図１２Ａ、図１２Ｂ、図１２Ｃ及び図１２Ｄを同時に参照し、そのうち、該双方向ドアクローザー７が本実施例に存在し、そのうち、本体７１は、本体７１内側に回転可能に結合する軸輪７７と、該本体７１内部に中空空間に定義される軌道空間７２と、弾性部材７４と、滑動ブロック７６と、を含み、該滑動ブロック７６は、ギアレール７６１を含み、該弾性部材７４及び滑動ブロック７６は、該起動空間７２内に互いに当接するように設けられ、同時に該滑動ブロック７６のギアレール７６１は、移動可能に該軸輪７７に噛み合い、実施例図において、該滑動ブロック７６は、更に、中空溝７６０を含み、前記ギアレール７６１は、該中空溝７６０の一側に形成され、該軸輪７７は、本体７１内側に回転可能に結合すると同時に該滑動ブロック７６の中空溝７６０に貫通設置され、該軸輪７７により該ギアレール７６１に噛み合い、該軸輪７７は、更に、上端７７１及び下端７７３を含み、該上端７７１は、本体７１一側に凸伸され、該下側７７３は、本体７１他側に凸伸する。
【００２３】
前記双方向ドアクローザー７は、更に、第１カム７３５と、第２カム７５５と、を含み、該第１カム７３５は、軸輪７７の上端７７１に結合し、該第２カム７５５は、軸輪７７の下端７７３に結合する。
【００２４】
該第１滑動アーム７３は、更に、第１ストッパ７３２は、第１前端７３１に設けられ、該第１カム７３５は、更に、第１軸孔７３７を含み、該第１軸孔７３７は、軸輪７７の上端７７１に結合し、該第１滑動アーム７３の第１前端７３１は、回転可能に上端７７１に結合し、該第１カム７３５に隣接し、これにより、該第１カム７３５及び該第１ストッパ７３２は、平行であり、且つ接触噛み合い又は分離することができる。
【００２５】
該第２滑動アーム７５は、更に、第２前端７５１に設けられる第２ストッパ７３５を含み、該第２カム７５５は、更に第２軸孔７５７を含み、該第２軸孔７５７は、軸輪７７の第２前端７５１に結合し、該第２滑動アーム７５の第２前端７５１は、回転可能に下端７７３に決王氏、該第２カム７５５に隣接し、これにより、該第２カム７５５及び該第２ストッパ７５３は、平行であり、且つ接触噛み合い又は分離することができる。
【００２６】
図１２Ａ及び図１２Ｂを参照し、上記構造の記載のように、第１カム７３５及び第２カム７５５は、それぞれ軸輪７７両側に結合し、同軸且つ同期回転可能な構造を形成し、これにより、使用者は、該中枠３及び扉５を開放し（図９を同時に参照）、該第１滑動アーム７３の第１ストッパ７３２を連動して第１カム７３５を係合(engage)し、該中枠３及び扉５は、第１方向Ｓ１へ回転開放し、該軸輪７７が第１カム７３５の同期連動を受けて順時計回りに軸回転し、該ギアレール７６１を連動し、滑動ブロック７６を作動させ、該弾性部材７４を圧縮し、運動エネルギーを蓄積させ、同一時間において、該第２カム７５５は、該第２ストッパ７５３から離脱し(disengage)、従って、該扉５は、中枠３内側に結合した状態を維持し、中枠３及び扉５を逆向きに押し動かし、大枠２まで復帰させて閉鎖させる。
【００２７】
図１２Ｃ及び図１２Ｄを参照し、反対に、使用者が該扉５を開放し、第２方向Ｓ２へ回転させ、第２滑動アーム７５の第２ストッパ７５２を連動し、該第２カム７５５を係止(engage)し、該軸輪７７は、第２カム７５５の同期連動を受けて反時計回りに回転し、該ギアレール７６１を連動し、滑動ブロック７６を作動させ、該弾性部材７４を圧縮し、運動エネルギーを蓄積させ、同一時間において、該第１カム７３５が該第１ストッパ７３２から離脱(disengage)し、該中枠３が動作せずに暫定的に大枠２内に固定され、扉５の閉鎖時、該蓄積した弾性部材７４が逆方向に該扉５を押し動かし、中枠３まで復帰し、閉鎖する。
【００２８】
特に説明すべき点として、上記実施例の本考案が提供する双方向ドアクローザー７は、中枠３に結合し、双方向ドアクローザー７は、方向選択メカニズムを有する第１滑動アーム７３及び第２滑動アーム７５を統合し、それぞれ異なる有効な方向メカニズムを有し、大ドア及び扉に接続し、双方向ドアクローザー７に異なる方向を解決させ、それぞれ独立した双方向閉鎖効果をもたせ、特に、第１カム７３５及び第２カム７５５が軸輪７７の両端で軸を共有する状況において、第１ストッパ７３２を合わせて第１滑動アーム７３を連動し、第２ストッパ７５３を合わせて第２滑動アーム７５を連動し、単一の双方向ドアクローザー７により異なる方向の２つの扉を管制し、この競合作用は、クラッチと類似する。本実施例の構造は、従来のドアクローザーのメカニズムの下では、実際に「双方向を１つに合わせ、押して避難する」ように動作することはできず、即ち、単一のドアクローザーは、本考案の２つの単一方向に開放する扉機能を分けて管理することができず、本考案の双方向ドア及びその双方向ドアクローザー７の構造機能は、従来技術と全く異なる設計である。
【００２９】
図１３に示すように、本実施例の双方向ドアクローザー７は、他の実施方式において、２つの従来の第１ドアクローザー８及び第２ドアクローザー９を用いて取って代えることができる。
【００３０】
該双方向ドアは、内側に大枠内縁２１を形成し、大枠内縁２１上側に位置する第１横柱２５を含む大枠２と、内側に中枠内縁３１を形成し、外側に中枠外縁３３を形成し、第２横柱３５を含み、該中枠外縁３３が大枠２１より小さい中枠３と、一側が該大枠２に接続され、他側が中枠外縁３３に対応して接続され、第１方向Ｓ１にのみ回転するように取り付けられ、これにより、該中枠３が該大枠内縁２１に相対して第１方向Ｓ１へ往復回転して開閉できる第１ヒンジ４と、扉外縁５１を有し、該扉外縁５１は、該中枠内縁３１より小さい扉５と、一側が前記中枠３に接続され、他側が該扉外縁５１の対応する一側に接続され、ただ第２方向Ｓ２にのみ回転できるように取り付けられ、これにより、該扉が該中枠内縁３１に相対して第２方向Ｓ２へ往復回転して開閉できる第２ヒンジと、を含み、ドア中ドア構造を形成する。
【００３１】
第１ドアクローザー８は、第２横柱３５に結合される本体８１と、第１方向Ｓ１へ回転可能に大枠２に結合する滑動アーム８３と、を含む。
【００３２】
第２ドアクローザー９は、第２横柱３５に結合する本体９１を含み、本実施例の該本体９１は、第２横柱３５内部に結合され、滑動アーム９３は、第２方向Ｓ２へ回転可能に扉５に結合され、該第１横柱２５は、第１滑動溝２５１を含み、該第１滑動アーム７３の第１後端７３３は、第１滑動溝２５１に滑動可能に結合され、該扉５は、更に、上側に位置する第２滑動溝３５１を含み、該第２滑動アーム７５の第２後端７５２は、第２滑動溝３５１に滑動可能に結合される。これにより、２つの従来のドアクローザーも前記実施例の双方向ドア閉鎖機能を達成することができ、その実施方式は、前記実施例に従うことができるので、ここでは再度記載しない。
【００３３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３４】
２  大枠
２１  大枠内縁
２５  第１横柱
２５１  第１滑動溝
３  中枠
３０  ストッパ
３１  中枠内縁
３３  中枠外縁
３５  第２横柱
４  第１ヒンジ
５  扉
５１  扉外縁
５３  第２滑動溝
６  第２ヒンジ
７  双方向ドアクローザー
７１  本体
７２  軌道空間
７３  第１滑動アーム
７３１  第１前端
７３２  第１ストッパ
７３３  第１後端
７３７  第１軸
７３５  第１カム孔
７４  弾性部材
７５  第２滑動アーム
７５１  第２前端
７５２  第２後端
７５３  第２ストッパ
７５５  第２カム
７６  滑動ブロック
７６１  ギアレール
７７  軸輪
７６０  中空溝
７７１  上端
７７３  下端
８  第１ドアクローザー
８１  本体
８３  滑動アーム
９  第２ドアクローザー
９１  本体
９３  滑動アーム
Ａ  大ドア
Ｂ  小ドア
Ｓ１  第１方向
Ｓ２  第２方向
【手続補正２】
【補正対象書類名】実用新案登録請求の範囲
【補正対象項目名】全文
【補正方法】変更
【補正の内容】
【実用新案登録請求の範囲】
【請求項１】
内側に大枠内縁を形成し、大枠内縁上側に位置する第１横柱を含む大枠と、
内側に中枠内縁を形成し、中枠内縁上側に位置する第２横柱を含む中枠と、
一側が該大枠に接続され、他側が中枠に接続され、第１方向にのみ回転するように取り付けられ、これにより、該中枠が該大枠内縁に相対して第１方向へ往復回転して開閉される第１ヒンジと、
扉と、
一側が前記中枠に接続され、他側が該扉に接続され、ただ第２方向にのみ回転するように取り付けられ、これにより、該扉が該中枠内縁に相対して第２方向へ往復回転して開閉される第２ヒンジと、
第２横柱、第１滑動アーム、第２滑動アームに結合する本体と、該第１滑動アームは、第１前端と、該第１前端に設けられる第１ストッパと、第１横柱に移動可能に結合される第１後端と、を含み、該第２滑動アームは、第２前端、該第２前端に設けられる第２ストッパと、該扉に移動可能に結合される第２後端と、を含む双方向ドアクローザーと、を含み、
該本体は、更に、本体内側に回転可能に結合する軸輪と、該本体内部に中空空間に定義される軌道空間と、弾性部材と、滑動ブロックと、を含み、該滑動ブロックは、ギアレールを含み該弾性部材及び滑動ブロックは、互いに当接して該軌道空間内に設けられ、同時に該滑動ブロックのギアレールは、該軸輪に移動可能に噛み合い、該軸輪は、上端及び下端を含み、該上端は、本体一側に凸伸し、該下端は、本体他側に凸伸し、
前記双方向ドアクローザーは、更に、第１カム、第２カムを含み、該第１カムは、軸輪の上端に結合され、該第２カムは、軸輪の下端に結合され、
該第１滑動アームの第１前端は、上端に回転可能に結合され、該第１カムに隣接し、該第１カム及び該第１ストッパは、平行であり且つ接触噛み合い又は分離することができ、
該第２滑動アームの第２前端は、下端に滑動可能に結合され、該第２カムに隣接し、該第２カム及び該第２ストッパは、平行であり且つ接触噛み合い又は分離することができる双方向ドアクローザーを有する双方向ドア。
【請求項２】
前記滑動ブロックは、更に中空溝を含み、前記ギアレールは、該中空溝の一側に形成され、該軸輪は、本体内側に回転可能に結合されると同時に、該滑動ブロックの中空溝に貫通設置され、該軸輪により該ギアレールに噛み合う請求項１に記載の双方向ドアクローザーを有する双方向ドア。
【請求項３】
前記第１横柱は、第１滑動溝を含み、該第１滑動アームの第１後端は、第１滑動溝に滑動可能に結合され、
該扉は、更に、該扉上側に位置する第２滑動溝を含み、該第２滑動アームの第２後端は、該第２滑動溝に滑動可能に結合される請求項１に記載の双方向ドアクローザーを有する双方向ドア。
【請求項４】
前記第１カムは、更に、第１軸孔を含み、該第１軸孔は、軸輪の上端に結合され、該第２カムは、更に、第２軸孔を含み、該第２軸孔は、軸輪の第１前端に結合される請求項１に記載の双方向ドアクローザーを有する双方向ドア。
【請求項５】
前記第１ヒンジ又は第２ヒンジは、速度調節又は緩衝のヒンジである請求項１に記載の双方向ドアクローザーを有する双方向ドア。
【請求項６】
前記中枠は、更に、ストッパを含み、該ストッパは、中枠内縁を覆う一部分に結合し、該扉の該ストッパに対応する部分が該ストッパに係止し、扉が中枠を連動して第１方向へ開放する安定性を強化することができるようにする請求項１に記載の双方向ドアクローザーを有する双方向ドア。
【請求項７】
前記扉は、該中枠を押し動かし離脱させ、第１方向に相対して、第２方向へ開放する小ドアを形成する請求項１に記載の双方向ドアクローザーを有する双方向ドア。
【請求項８】
前記中枠は、扉に結合して該大枠を押し動かして離脱させ、第２方向に相対して第１方向へ開放する大ドアを形成する請求項１に記載の双方向ドアクローザーを有する双方向ドア。
【請求項９】
前記中枠は、更に、ストッパを含み、該ストッパは、中枠内縁を覆う一部分に結合される請求項１に記載の双方向ドアクローザーを有する双方向ドア。
【請求項１０】
内側に大枠内縁を形成し、大枠内縁上側に位置する第１横柱を含む大枠と、
内側に中枠内縁を形成し、第２横柱を含む中枠と、
一側が該大枠に接続され、他側が中枠に対応して接続され、第１方向にのみ回転するように取り付けられ、これにより、該中枠が該大枠内縁に相対して第１方向へ往復回転して開閉できる第１ヒンジと、
扉と、
一側が前記中枠に接続され、他側が該扉に接続され、ただ第２方向にのみ回転するように取り付けられ、これにより、該扉が該中枠内縁に相対して第２方向へ往復回転して開閉できる第２ヒンジと、
第２横柱に結合する本体と、第１方向へ回転可能に大枠に結合される滑動アームと、を含む第１ドアクローザーと、
第２横柱に結合する本体と、第２方向へ回転可能に扉に結合される滑動アームと、を含む第２ドアクローザーと、
を含む双方向ドアクローザーを有する双方向ドア。
【請求項１１】
本体、第１滑動アーム、第２滑動アームを含み、該第１アームは、第１前端と、前端に設けられる第１ストッパと、第１後端と、を含み、該第２滑動アームは、第２前端と、該第２前端に設けられる第２ストッパと、第２後端と、を含む双方向ドアクローザー構造であって、
該本体は、更に、本体内側に回転可能に結合する軸輪と、該本体内部に中空空間に定義される軌道空間と、弾性部材と、滑動ブロックと、を含み、該滑動ブロックは、ギアレールを含み、該弾性部材及び滑動ブロックは、互いに当接して該軌道空間内に設けられ、同時に、該滑動ブロックのギアレールは、該軸輪に移動可能に噛み合わせ、該軸輪は、上端及び下端を含み、該上端は、本体一側に凸伸し、該下端は、本体他側に凸伸し、
前記ドアクローザーは、更に、第１カム、第２カムを含み、該第１カムは、軸輪の上端に結合し、該第２カムは、軸輪の下端に結合され、
該第１滑動アームの第１前端は、上端に回転可能に渇仰され、該第１カムに隣接し、該第１カム及び該第１ストッパは、平行であり且つ接触噛み合い又は分離することができ、
該第２滑動アームの第２前端は、下端に滑動可能に結合され、該第２カムに隣接し、該第２カム及び該第２ストッパは、平行であり且つ接触噛み合い又は分離することができる双方向ドアクローザー構造。
【請求項１２】
前記滑動ブロックは、更に中空溝を含み、前記ギアレールは、該中空溝の一側に形成され、該軸輪は、本体内側に回転可能に結合されると同時に、該滑動ブロックの中空溝に貫通設置され、該軸輪により該ギアレールに噛み合う請求項１１に記載の双方向ドアクローザー構造。
【請求項１３】
前記第１カムは、更に、第１軸孔を含み、該第１軸孔は、軸輪の上端に結合され、該第２カムは、更に、第２軸孔を含み、該第２軸孔は、軸輪の第１前端に結合される請求項１１に記載の双方向ドアクローザー構造。